(57)【特許請求の範囲】
【請求項１】
被写体の光学像を電気信号に変換する撮像素子と、
前記被写体の輝度を測定する測光手段と、
絞りの開口径が第１の開口径または該第１の開口径よりも大きい第２の開口径となるように前記絞りを制御する絞り制御手段と、
前記被写体との距離に関する情報を測定する測距手段と、
前記撮像素子の感度を設定する撮像感度調節手段と、
ストロボ手段にプリ発光させたときの前記測光手段の出力から、前記ストロボ手段の本発光時の発光量を演算する演算手段と、を有し、
前記絞り制御手段は、前記測距手段による距離情報に基づいてプリ発光時の前記絞りの開口径が前記第１の開口径または前記第２の開口径となるように制御し、
前記撮像感度調節手段は、前記測距手段による距離情報およびプリ発光時の前記絞りの開口径に基づいてプリ発光時の前記感度を設定し、前記演算手段にて演算された発光量に基づいて本発光時の前記感度を設定することを特徴とする撮像装置。
【請求項２】
前記撮像感度調節手段は、プリ発光時と本発光時とで、前記感度の増加量の上限値を異ならせることを特徴とする請求項１に記載の撮像装置。
【請求項３】
前記撮像感度調節手段は、前記測光手段により測定された前記被写体の輝度に応じて、本発光時における前記上限値を異ならせることを特徴とする請求項２に記載の撮像装置。
【請求項４】
被写体の光学像を電気信号に変換する撮像素子を有する撮像装置の制御方法であって、
前記被写体の輝度を測定する測光ステップと、絞りの開口径が第１の開口径または該第１の開口径よりも大きい第２の開口径となるように前記絞りを制御する絞り制御ステップと、前記被写体との距離に関する情報を測定する測距ステップと、前記撮像素子の感度を設定する撮像感度調節ステップと、ストロボ手段にプリ発光させたときの前記測光ステップでの出力から、前記ストロボ手段の本発光時の発光量を演算する演算ステップと、を有し、
前記絞り制御ステップは、前記測距ステップで得られた距離情報に基づいてプリ発光時の前記絞りの開口径が前記第１の開口径または前記第２の開口径となるように制御し、
前記撮像感度調節ステップは、前記測距手段による距離情報およびプリ発光時の前記絞りの開口径に基づいてプリ発光時の前記感度を設定し、前記演算手段にて演算された発光量に基づいて本発光時の前記感度を設定することを特徴とする撮像装置の制御方法。
【発明の詳細な説明】
【０００１】
【発明の属する技術分野】
本発明は、静止画像や動画像を撮像、記録あるいは再生する撮像装置および撮像装置の制御方法に関する。
【０００２】
【従来の技術】
従来、固体メモリ素子を有するメモリカードを記録媒体として、静止画像や動画像を記録再生する電子カメラ等の画像処理装置は既に市販されている。また、カラー液晶パネル等の電子ファインダを備える電子カメラも販売されている。
これらの電子カメラによれば、撮影前の画像を連続して表示し、電子カメラの使用者が構図を決定することや、撮影した画像を再生表示して確認することが可能である。特に、撮影した画像を撮影直後に再生する機能は利便性が高く、電子カメラの使用者にとって有益な機能となっている。
【０００３】
このような従来の電子カメラ等の画像処理装置においては、閃光装置を内蔵したものが主流である。閃光装置の発光により撮影する場合、実際に撮影する本露光用のシャッターレリーズをする前に被写体条件を測定する（調光）ために、事前に閃光装置を発光するプリ発光による測光が行われ、露光条件を決定してから本露光の閃光装置を発光（本発光）する。
【０００４】
【発明が解決しようとする課題】
ところで、閃光装置を発光させるための電力としては、ストロボ制御回路に内蔵されたメインコンデンサの充電電力を用いているが、カメラ本体をコンパクトに収めるために大きな容量のメインコンデンサを内蔵させることは難しい。こうした閃光装置の閃光到達距離は短く、本発光時に撮像系のゲインを増大させることで、閃光到達距離を得ていた。
【０００５】
しかし、このようなカメラにおいて、コンパクト化に伴い絞りのポイント数が減少した場合、プリ発光時にＡＦ距離情報に応じて細かく絞りを連動させる制御が不可能となるため、精度のよい調光が実質的に困難になる。また、プリ発光時、本発光と同様の制御で撮像系のゲインを増大させた場合、そのままではプリ発光と本発光とで、どちらかに支障をきたす結果となってしまう。
【０００６】
本発明はかかる実情に鑑み、つねに適性な露出制御、調光を行い得る撮像装置およびその制御方法を提供することを目的とする。
【０００７】
【課題を解決するための手段】
本発明の撮像装置は、被写体の光学像を電気信号に変換する撮像素子と、前記被写体の輝度を測定する測光手段と、絞りの開口径が第１の開口径または該第１の開口径よりも大きい第２の開口径となるように前記絞りを制御する絞り制御手段と、前記被写体との距離に関する情報を測定する測距手段と、前記撮像素子の感度を設定する撮像感度調節手段と、ストロボ手段にプリ発光させたときの前記測光手段の出力から、前記ストロボ手段の本発光時の発光量を演算する演算手段と、を有し、前記絞り制御手段は、前記測距手段による距離情報に基づいてプリ発光時の前記絞りの開口径が前記第１の開口径または前記第２の開口径となるように制御し、前記撮像感度調節手段は、前記測距手段による距離情報およびプリ発光時の前記絞りの開口径に基づいてプリ発光時の前記感度を設定し、前記演算手段にて演算された発光量に基づいて本発光時の前記感度を設定することを特徴とする。
【０００８】
また、本発明の撮像装置の制御方法は、被写体の光学像を電気信号に変換する撮像素子を有する撮像装置の制御方法であって、前記被写体の輝度を測定する測光ステップと、絞りの開口径が第１の開口径または該第１の開口径よりも大きい第２の開口径となるように前記絞りを制御する絞り制御ステップと、前記被写体との距離に関する情報を測定する測距ステップと、前記撮像素子の感度を設定する撮像感度調節ステップと、ストロボ手段にプリ発光させたときの前記測光ステップでの出力から、前記ストロボ手段の本発光時の発光量を演算する演算ステップと、を有し、前記絞り制御ステップは、前記測距ステップで得られた距離情報に基づいてプリ発光時の前記絞りの開口径が前記第１の開口径または前記第２の開口径となるように制御し、前記撮像感度調節ステップは、前記測距手段による距離情報およびプリ発光時の前記絞りの開口径に基づいてプリ発光時の前記感度を設定し、前記演算手段にて演算された発光量に基づいて本発光時の前記感度を設定することを特徴とする。
【００２０】
本発明によれば、プリ発光時にゲイン制御を用い、また本発光時でのゲイン制御とは制御方法を変えることで、プリ発光時の適正な露出制御を行い、その結果適正な調光を行うことができる。また、ゲイン制御方法をプリ発光と本発光で同じにすることにより、プリ発光、本発光の支障を解消することができる。さらに、本発光のゲインの最大値をＡＥ制御での被写体輝度値で変えることで、暗中と日中時での本発光のゲインの最大値を変えることになり、暗中では十分な到達距離を得ることができ、日中では必要以上にゲインを増大させて画質の劣化を目立たせることがなくなる。
【００２１】
【発明の実施の形態】
以下、図面を参照して本発明の好適な実施の形態を説明する。
（第１の実施形態）
図１は、本発明の実施形態における構成を示している。図において、１００は画像処理装置である。１０は変倍系レンズ群、１１は合焦系レンズ群、１２は絞り機能を備えるシャッター、１４は光学像を電気信号に変換する撮像素子、１５は撮像素子１４の感度を設定する撮像感度調節手段である。変倍系レンズ群１０による変倍率は、ワイド（Wide）端からテレ（Tele）端までを４分割し、Wide端とTele端を含めて５ポジションの変倍を可能にする構成となっている。
【００２２】
１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００２３】
２０は画像処理回路であり、Ａ／Ｄ変換器１６からのデータあるいはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、メモリ制御回路２２を介して、あるいは直接メモリ制御回路２２を介して、画像表示メモリ２４あるいはメモリ３０に書き込まれる。
【００２５】
２４は画像表示メモリ、２６はＤ／Ａ変換器、２８はＴＦＴＬＣＤ等からなる画像表示部である。画像表示メモリ２４に書き込まれた表示用の画像データは、Ｄ／Ａ変換器２６を介して画像表示部２８により表示される。画像表示部２８を用いて、撮像した画像データを逐次表示すれば、電子ファインダ機能を実現することが可能である。
【００２６】
また、画像表示部２８は、システム制御回路５０の指示により任意にその表示をＯＮ／ＯＦＦすることが可能である。表示をＯＦＦにした場合には画像処理装置１００の電力消費を大幅に低減することができる。
【００２７】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合も、高速かつ大量の画像書込みをメモリ３０に対して行うことが可能となる。また、メモリ３０はシステム制御回路５０の作業領域としても使用することが可能である。３２は適応離散コサイン変換（ＡＤＣＴ）等により画像データを圧縮・伸長する圧縮・伸長回路であり、メモリ３０に格納された画像を読み込んで圧縮処理あるいは伸長処理を行い、処理を終えたデータをメモリ３０に書き込む。
【００２８】
４０は絞り機能を備えるシャッター１２、タイミング発生回路１８による撮像素子１４の電荷排出動作から読出し動作までの蓄積時間を制御する電子シャッター制御手段および撮像感度調節手段１５を制御する自動露出制御手段であり、フラッシュ４８と連携することによりフラッシュ調光機能も有する。
【００２９】
４２は合焦系レンズ１１のフォーカシングを制御する測距制御手段、４４は変倍系レンズ１０のズーミングを制御するズーム制御手段、４６はバリアとしての保護手段１０２の動作を制御するバリア制御手段である。４８はフラッシュであり、ＡＦ補助光の投光機能、フラッシュ調光機能も有している。自動露出制御手段４０、測距制御手段４２はＴＴＬ方式を用いて制御されており、撮像した画像データを画像処理回路２０によって演算した演算結果に基づき、システム制御回路５０が自動露出制御手段４０、測距制御手段４２に対して制御を行う。自動露出制御手段４０の詳細については後に述べることとする。
【００３０】
５０は画像処理装置１００全体を制御するシステム制御回路、５２はシステム制御回路５０の動作用定数、変数、プログラム等を記憶するメモリである。５４はシステム制御回路５０でのプログラムの実行に応じて、文字、画像あるいは音声等を用いて動作状態やメッセージ等を表示する液晶表示装置、スピーカー等の表示部であり、画像処理装置１００の操作部近辺の視認し易い位置に、単数あるいは複数個所設置され、たとえばＬＣＤやＬＥＤ、発音素子等の組合わせにより構成されている。また、表示部５４はその一部の機能が、光学ファインダ１０４内に設置されている。
【００３１】
表示部５４の表示内容のうち、ＬＣＤ等に表示するものとしては、シングルショット／連写撮影表示、長秒時撮影表示、夜景撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、（赤目緩和ランプ点灯、前回の撮影からの）経過時間表示、マクロ撮影表示、ブザー設定表示、時計用電池残量表示、電池残量表示、エラー表示、複数桁の数字による情報表示、記録媒体２００および２１０の着脱状態表示、通信Ｉ／Ｆ動作表示、日付け・時刻表示等がある。
【００３２】
また、表示部５４の表示内容のうち、光学ファインダ１０４内に表示するものとしては、合焦表示、手振れ警告表示、フラッシュ充電表示、シャッタースピード表示、絞り値表示、露出補正表示等がある。
【００３３】
５６は電気的に消去・記録可能な不揮発性メモリであり、たとえばＥＥＰＲＯＭ等が用いられる。
【００３４】
６０，６２，６４，６６，６８および７０は、システム制御回路５０の各種の動作指示を入力するための操作手段であり、スイッチやダイアル、タッチパネル、視線検知によるポインティング、音声認識装置等の単数あるいは複数の組合わせで構成される。
【００３５】
ここで、これらの操作手段の具体的な説明を行う。
６０はモードダイアルスイツチであり、電源オフ、自動撮影モード、撮影モード、パノラマ撮影モード、再生モード、マルチ画面再生・消去モード、ＰＣ接続モード等の各機能モードを切替え設定することができる。
６２はシャッタースイッチＳＷ１であり、図示しないシャッターボタンの操作の途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３６】
６４はシャッタースイッチＳＷ２であり、図示しないシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出す。そして圧縮・伸長回路３２で圧縮を行い、記録媒体２００あるいは２１０に画像データを書き込む記録処理という一連の処理の動作開始を指示する。
【００３７】
６６は画像表示ＯＮ／ＯＦＦスイッチであり、画像表示部２８のＯＮ／ＯＦＦを設定することができる。この機能により、光学ファインダ１０４を用いて撮影を行う際に、ＴＦＴＬＣＤ等から成る画像表示部への電流供給を遮断することにより、省電力を図ることが可能となる。
６７、６９はそれぞれ変倍系レンズ群１０の駆動方向を指示するTeleＳｗおよびWideＳｗであり、これらのＳｗは機械的にいずれか一方のみがＯＮ状態になるように構成されている。
６８はクイックレビューＯＮ／ＯＦＦスイッチであり、撮影直後に撮影した画像データを自動再生するクイックレビュー機能を設定する。なお、この実施形態では特に、画像表示部２８をＯＦＦとした場合におけるクイックレビュー機能の設定をする機能を備えるものとする。
【００３８】
７０は各種ボタンやタッチパネル等からなる操作部であり、メニューボタン、セットボタン、マクロ／非マクロ切替えボタン、マルチ画面再生改ぺージボタン、フラッシュ設定ボタン、単写／連写／セルフタイマー／長秒時（スローシャッター）／モード切替えボタン、メニュー移動「＋」（プラス）ボタン、メニュー移動「−」（マイナス）ボタン、再生画像移動「＋」（プラス）ボタン、再生画像「−」（マイナス）ボタン、撮影画質選択ボタン、露出補正ボタン、日付／時間設定ボタン等がある。
【００３９】
ところで、フラッシュ設定には自動発光／強制発光／発光禁止／赤目緩和自動発光／夜景発光モードがある。ここで、撮影モード切替えボタンでスローシャッターモードに切り替えたとき、フラッシュモードを自動的に発光禁止モードに切り替える構成は、カメラの設計方針からいずれの組合せで行なってもよい。これらをすべて使用者の設定に任せることができる。
【００４０】
８０は電源制御手段であり、電池検出回路、ＤＣ−ＤＣコンバータ、通電するブロックを切り替えるスイッチ回路等により構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４１】
９０および９４はメモリカードやハードディスク等の記録媒体とのインタフェース、９２および９６はメモリカードやハードディスク等の記録媒体と接続を行うコネクタ、９８はコネクタ９２および／あるいは９６に記録媒体２００あるいは２１０が装着されているか否かを検知する記録媒体着脱検知手段である。
【００４２】
なお、本実施形態では記録媒体を取り付けるインターフェースおよびコネクタを２系統持つものとして説明している。もちろん、記録媒体を取り付けるインターフェースおよびコネクタは、単数あるいは複数いずれの系統数を備える構成としても差し支えない。また、異なる規格のインターフェースおよびコネクタを組み合わせて備える構成としてもよい。
【００４３】
インターフェースおよびコネクタとしては、ＰＣＭＣＩＡカードやＣＦ（コンパクトフラッシュ）カード等の規格に準拠したものを用いて構成して構わない。さらに、インタフェース９０および９４、そしてコネクタ９２および９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００４４】
１０２は画像処理装置１００の変倍系レンズ群１０および合焦系レンズ群１１を含む撮像部を覆うことにより、撮像部の汚れや破損を防止するバリアである保護手段である。
１０４は光学ファインダであり、画像表示部２８による電子ファインダ機能を使用することなしに光学ファインダのみを用いて撮影を行うことが可能である。また、光学ファインダ１０４内には、表示部５４の一部の機能、たとえば合焦表示、手振れ警告表示、フラッシュ充電表示、シャッタースピード表示、絞り値表示、露出補正表示などが設置されている。
【００４５】
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０により画像処理装置１００を他の機器と接続するコネクタあるいは無線通信の場合はアンテナである。
【００４６】
２００はメモリカードやハードディスク等の記録媒体である。記録媒体２００は、半導体メモリや磁気ディスク等から構成される記録部２０２、画像処理装置１００とのインタフェース２０４および画像処理装置１００と接続を行うコネクタ２０６を備えている。
２１０はメモリカードやハードディスク等の記録媒体である。記録媒体２１０は、半導体メモリや磁気ディスク等から構成される記録部２１２、画像処理装置１００とのインタフェース２１４および画像処理装置１００と接続を行うコネクタ２１６を備えている。
【００４７】
図１、図２および図４を参照して、第１の実施形態の動作を説明する。
図２は、本実施形態の画像処理装置１００の主ルーチンのフローチャートを示す。図２を用いて、画像処理装置１００の動作を説明する。モードダイアル６０を電源ＯＦＦの状態から電源ＯＮの状態（撮像モード）にすると、システム制御回路５０がモードダイアルの状態を検出する（ステップＳ１０１）。
【００４８】
つぎに、シャッタースイッチＳＷ１が押されたら（ステップＳ１０２）、システム制御回路５０は、撮像手段を起動し（ステップＳ１０３）、撮像素子１４からの画像信号データを用いて所定の演算処理を行う。得られた演算結果に基づいて測距制御手段に対し測距処理を行って、合焦点レンズ１１の焦点を被写休に合わせ、ＡＦ制御を行う（ステップＳ１０４）。
【００４９】
つづいて、システム制御回路５０は露出制御手段４０を起動して、適正露出にするように絞り手段、シャッター手段を使って、絞り制御（ＡｖＡＥ）値、シャッター制御（ＴｖＡＥ）値、撮像感度（ＳｖＡＥ）値から、被写体輝度（ＢｖＡＥ）値を算出するＡＥ制御を行う（ステップＳ１０５）。システム制御回路５０はつぎに、撮像素子１４からの画像信号データを用いて所定の演算処理を行い、得られた演算結果がホワイトバランスとして適正と判断されるまで画像処理回路２０を用いて、ＡＷＢ（オートホワイトバランス）制御を行う（ステップＳ１０６）。
【００５０】
つぎに、シャッタースイッチＳＷ２が押されたら（ステップＳ１０７）、システム制御回路５０は、ストロボ制御手段４９と露出制御手段４０を起動して、適正に調光できるようにＥＦ制御（ステップＳ２００）を行う。つぎに、記録する画像を撮影するための本露光を行う（ステップＳ１０８）。最後に、インターフェース９０あるいは９４、コネクタ９２あるいは９６を介して、メモリーカードやコンパクトフラッシュカード等の記録媒体２００あるいは２１０への画像データの書込みを行う（ステップＳ１０９）。シャッタースイッチＳＷ２が押されない場合は、シャッタースイッチＳＷ２が押されるまで待機する。
【００５１】
つぎに、ＥＦ制御について図４を用いて説明する、
システム制御回路５０は、ＡＥ制御での露出制御値すなわちＡｖＡＥ値、ＴｖＡＥ値、ＳｖＡＥ値（ステップＳ３０１）、またＡＦ制御での距離情報（Ｌ）値（ステップＳ３０２）を取得する。システム制御回路５０はつぎに、露出制御手段４０を起動し、絞り機能を備えるシャッター１２を制御して絞り制御１を行う（ステップＳ３０３）。絞りは、小絞り・開放の２ポイントしかないので、システム制御回路５０は、ＡＦ制御での距離情報（Ｌ）を基に、切替えポイント式で決定した絞りと、ＡＥ制御での絞り（ＡｖＡＥ）値を比較し、小絞り側を選択しプリ発光時の絞り（ＡｖＰｒｅ）値を得る。これは、被写体が近過ぎたり、反射率が高過ぎる場合を想定して、プリ発光時にオーバーフローしないようにするためである。
【００５２】
切替えポイント（Ｌｐ）の式をつぎに示す。
Ｌｐ＝−３．７５×Ｚｐ＋７０
Ｚｐ（Zoom Positioin）：wide＝１，ｍ1 ＝１，ｍ2 ＝２，ｍ3 ＝３，tele＝４Ｌ（ＡＦからの距離情報）≧Ｌｐの時、開放
Ｌ＜Ｌｐの時、小絞り
【００５３】
露出制御手段４０はつぎに、撮像感度調節手段１５を制御してＰＤＧ（プリ発光時のゲイン）演算を行う（ステップＳ３０４）。そしてシステム制御回路５０は、ＡＦ制御での距離情報（Ｌ）と絞り制御での絞りを基にして、下記の関数式から求めてＰＤＧを算出する。ただし、ゲインアップは、最大で＋３段までとする。
【００５４】
関数式をつぎに示す。
Delta Gain＝２×log 2 （Ｌ／１００）＋Ｇｎ＋log 2 （Ｚｐ／４＋１）
開放時    Ｇｎ＝０．７２
小絞り時  Ｇｎ＝３．７２
【００５５】
つぎに、露出制御手段４０は、絞り機能を備えるシャッター１２を制御する。そして露出制御値算出手段が、図示しないプログラム線図から、絞り制御（ＡｖＰｒｅ）値、ＰＤＧを基にプリ発光時のシャッター制御（ＴｖＰｒｅ）値を解析して算出し、シャッター制御１を行う（ステップＳ３０５）。
【００５６】
つぎに、システム制御回路５０は撮像素子１４から、その撮像した電荷信号を読み出す。画像処理回路２０は、Ａ／Ｄ変換器１６を介して逐次読み込まれる撮影画像データを、システム制御回路５０に予め設定された複数の分割された領域毎に光束積分演算を行う。測光手段は、システム制御回路５０のメモリ５２にプログラミングされ、光束積分演算出力から１画素単位の積分値に換算した後、分割された領域の面積比率に応じた各領域毎の評価値を演算する。この各領域毎の評価値に所定の重み付けを行って、輝度（ΔＹＤＬｎ）値を算出する。
【００５７】
上記ΔＹＤＬｎが得られたときの絞り制御（ＡｖＰｒｅ）値、シャッター制御（ＴｖＰｒｅ）値、プリ発光時のゲイン（ＰＤＧ）値、撮像感度（ＳｖＡＥ）値に基づいて定常光輝度（ＹＤＬｎ）値を算出し、定常光測光を行う（ステップＳ３０６）。
つぎに、システム制御回路５０はストロボ制御回路４９を起動して、ストロボ４８を制御して２４μｓで発光させ、プリ発光を行う（ステップＳ３０７）。その後、上記の定常光測光と同等の制御および演算で、プリ発光輝度（ＹＦＬｎ）値を算出する（ステップＳ３０８）。
【００５８】
システム制御回路５０は、プリ発光時のゲイン（ＰＤＧ）値を＋０段に演算し直し、本発光時の仮ゲイン（ＸＤＧ）値とする。また、絞り制御値に対しても、所定距離未満であればプリ発光時の絞り制御（ＡｖＰｒｅ）値、また所定距離以上であればＡＥ制御での絞り制御（ＡｖＡＥ）値を選択し直し、本発光時の仮絞り制御（ＸＡｖ）値とする。つぎに、露出制御値算出手段を起動して、図示しないプログラム線図から、ＸＡｖ値、ＸＤＧを基に本発光時の仮シャッター制御（ＸＴｖ）値を解析して算出し直し、ＸＤＧ，ＸＡｖ，ＸＴｖを本発光仮露出制御値とする（ステップＳ３０９）。
【００５９】
つぎに、システム制御回路５０は、ＸＤＧとＰＤＧ、ＸＡｖとＡｖＰｒｅおよびＸＴｖとＴｖＰｒｅの差から補正値（ＡｖＤＧ Ｈｏｓｅｉ，ＡｖＴｖＤＧ Ｈｏｓｅｉ）を演算する。つぎに定常光、Ｐｒｅ発光測光結果からの各領域毎の定常光測光値とＰｒｅ発光測光値、上記の補正値、目標レベルＹｒｅｆから各領域毎のストロボ発光量（ΔＥＦｎ）を演算する。
【００６０】
つぎに、その計算式を示す。
ΔＥＦｎ＝log 2 （（ＹＦＬｎ−ＹＤＬｎ）×ＡｖＤＧ Ｈｏｓｅｉ）／
（Ｙｒｅｆ−ＹＤＬｎ×ＡｖＴｖＤＧ Ｈｏｓｅｉ））
【００６１】
算出した領域毎のストロボ発光量（ΔＥＦｎ）に所定の重み付け（Ｐ［ｎ］）を行ってストロボ発光量（ΔＥＦ）を求める。システム制御回路５０は、メモリ５２にプログラミングされているストロボ発光量（ＥＦ Ｅｖ）と発光時間のテーブルから、上記で算出されたΔＥＦに相当する発光時間（Ｔｉｍｅ）を直線補間によって求める（ステップＳ３１０）。
【００６２】
システム制御回路５０はつぎに、撮像感度調節手段１５を起動して、ストロボ発光量（ΔＥＦ）とメモリ５２にプログラミングされているテーブルの最大発光量（ＥＦ ＥｖＭａｘ）を比較する。ストロボ発光量（ΔＥＦ）がテーブルの最大発光量を上回ったら、その上回った分を本発光時のゲイン（ＤＧ）として算出する。本発光の仮ゲイン値を演算し直し、上回っていなければ仮ゲイン値を本発光時のゲイン（ＤＧ）とする（ステップＳ３１１）。ＤＧの最大値は１．２段までとする。つぎに、露出制御手段４０を起動し、仮絞り制御（ＸＡｖ）値を本発光時の絞り制御値（Ａｖ）として、絞り機能を備えるシャッター１２を制御して絞り制御２を行い（ステップＳ３１２）。露出制御値算出手段が、図示していないプログラム線図から、絞り制御（ＸＡｖ）値、ＤＧを基にプリ発光時のシャッター制御（ＴｖＰｒｅ）値を解析して算出し、シャッター制御２を行う。
【００６３】
最後に、システム制御回路５０はストロボ制御回路４９を起動して、ストロボ４８を制御して、上記のように算出した本発光時間（Ｔｉｍｅ）でストロボ４８を発光させる。
【００６４】
プリ発光時にゲイン制御を用い、また本発光時でのゲイン制御とは制御方法を変えることで、プリ発光時のＡｖＰｒｅ、ＴｖＰｒｅ、ＰＤＧによる適正かつ精度のよい露出制御を行い、その結果適正な調光を行うことができる、また、ゲイン制御方法をプリ発光および本発光で同じにすることにより、プリ発光、本発光の支障を解消することができる。
【００６５】
つぎに、図２および図５を参照して第２の実施形態の動作を説明する。
図２は、本実施形態の画像処理装置１００の主ルーチンのフローチャートを示す。なお、画像処理装置１００の動作は第１の実施形態と同様である。さらに、ＥＦ制御について図５を用いて説明する。
【００６６】
スタート（ステップＳ３００）から本発光時間の演算（ステップＳ３１０）までは第１の実施形態の場合と同様である。
【００６７】
システム制御回路５０は、本発光時間（Ｔｉｍｅ）を演算した（ステップＳ３１０）後、ＡＥ制御での被写体輝度（ＢｖＡＥ）値を取得する。メモリ５２にプログラムされている手振れ値と比較し、ＢｖＡＥ値がその手振れ値よりも大きかった場合、システム制御回路は、本発光時のゲイン（ＤＧ）の最大値を＋０．４段までに撮像感度調節手段を起動して制御する。ＢｖＡＥ値が手振れ値以下であった場合、本発光時のゲイン（ＤＧ）の最大値を＋１．２段までに制御する。本発光時の最大値の制御方法以外は、第１の実施形態と同様である。以下絞り制御（ステップＳ３１２）から終了まで第１の実施形態と同様である。
【００６８】
本発光のゲインの最大値をＡＥ制御での被写体輝度値で変えることは、暗中と日中時での本発光のゲインの最大値を変えることである。これにより暗中では十分な到達距離を得ることができ、また、日中では必要以上にゲインを増大させて画質の劣化を目立たせることがないようにする。
【００６９】
以上、図を用いて本発明の実施形態の説明を行った。本実施形態において、記録媒体２００および２１０は、ＰＣＭＣｌＡカードやコンパクトフラッシュ等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていてもよい。また、記録媒体２００および２１０は、メモリカードとハードディスク等が一体となった複合媒体であってもよい。さらに、その複合媒体から一部が着脱可能な構成としてもよい。そして、実施形態の説明においては、記録媒体２００インタフェース２１０は画像処理装置１００と分離していて、任意に接続可能な着脱可能な記録媒体として説明した。いずれかあるいは全ての記録媒体が画像処理装置１００に固定したままとなっていてもよい。また、画像処理装置１００に記録媒体２００あるいは２１０が、単数あるいは複数の任意の個数接続可能な構成であっても構わない。
【００７０】
そして、画像処理装置１００に記録媒体２００および２１０が装着する構成として説明した。記録媒体は単数あるいは複数の何れの組合わせの構成であってもよく。さらに、本実施形態においては画像表示を本装置内の画像表示部で行っているが、ＴＦＴＬＣＤ等から成る画像表示部２８の変わりにビデオアンプとビデオ信号出力端子を備えて、装置外部の表示装置に表示する場合、あるいは通信手段１１０およびコネクタ１１２を用いて外部装置に画像データを転送して表示を行う場合においても同じ効果を発揮する。
【００７１】
ここで、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００７２】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００７３】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００７４】
さらに、供給されたプログラムコードがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００７５】
【発明の効果】
以上説明したように本発明によれば、プリ発光時と本発光時とでゲイン制御を異ならせることで、適正な調光を行うことができる。
【図面の簡単な説明】
【図１】本発明の実施形態における装置の構成を示すブロック図である。
【図２】本発明の実施形態における装置動作の主ルーチンの一部を示すフローチャートである。
【図３】従来のＥＦ制御動作を示すフローチャートである。
【図４】本発明の実施形態におけるＥＦ制御動作を示すフローチャートである。
【図５】本発明の第２の実施形態に係るＥＦ制御動作を示すフローチャートである。
【符号の説明】
１０    変倍系レンズ群
１１    合焦系レンズ群
１２    シャッター
１４    撮像素子
１６    Ａ／Ｄ変換器
１８    タイミング発生回路
２０    画像処理回路
２２    メモリ制御回路
２４    画像表示メモリ
２６    Ｄ／Ａ変換器
２８    画像表示部
３０    メモリ
３２    画像圧縮・伸長回路
４２    測距制御手段
４４    ズーム制御手段
４６    バリア制御手段
４８    フラッシュ
５０    システム制御回路
５２    メモリ
５６    不揮発性メモリ
６０    モードダイアルスイッチ
６２    シャッタースイッチＳＷ１
６４    シャッタースイッチＳＷ２
６６    画像表示ＯＮ／ＯＦＦスイッチ
６８    単写／連写スイッチ
７０    操作部
８０    電源制御手段
８２    コネクタ
８４    コネクタ
８６    電源手段
９０    インタフェース
９２    コネクタ
９４    インタフェース
９６    コネクタ
９８    記録媒体着脱検知手段
１００    画像処理装置
１０２    保護手段
１０４    光学ファインダ
１１０    通信手段
１１２    コネクタ（またはアンテナ）
２００    記録媒体
２０２    記録部
２０４    インタフェース
２０６    コネクタ
２１０    記録媒体
２１２    記録部
２１４    インタフェース
２１６    コネクタ
【図１】
0004392954.tif 000002
【図２】
0004392954.tif 000003
【図３】
0004392954.tif 000004
【図４】
0004392954.tif 000005
【図５】
0004392954.tif 000006